(57)【特許請求の範囲】
【請求項１】
基盤と、該基盤に植栽されているミズゴケと、該ミズゴケを支えるための、該基盤から上方に延びる支持体とを有するミズゴケ栽培地を作る工程を含む、ミズゴケ栽培方法。
【請求項２】
前記支持体が風を通すものである、請求項１に記載のミズゴケ栽培方法。
【請求項３】
前記支持体が棒状、板状、ネット状又は生きた植物の茎部である、請求項１又は２に記載の栽培方法。
【請求項４】
前記ミズゴケが互いに離れて植栽されている、請求項１〜３のいずれか一項に記載の栽培方法。
【請求項５】
前記ミズゴケが前記基盤１００ｃｍ２あたり１〜１０本の密度で植栽されている、請求項１〜４のいずれか一項に記載の栽培方法。
【請求項６】
前記支持体が棒状である、請求項１〜５のいずれか一項に記載の栽培方法。
【請求項７】
前記ミズゴケ栽培地が、前記支持体を前記基盤１００ｃｍ２あたり１〜１６本の密度で有する、請求項６に記載の栽培方法。
【請求項８】
前記支持体が、前記基盤と脱着可能である、請求項１〜７のいずれか一項に記載の栽培方法。
【請求項９】
前記ミズゴケと前記支持体とが互いに固定されていない、請求項１〜８のいずれか一項に記載の栽培方法。
【請求項１０】
前記支持体の高さが、該支持体が支える前記ミズゴケの高さよりも高い、請求項１〜９のいずれか一項に記載の栽培方法。
【請求項１１】
請求項１〜１０のいずれか一項に記載の栽培方法を用いる、ミズゴケの生産方法。
【請求項１２】
基盤と、該基盤に植栽されているミズゴケと、該ミズゴケを支えるための、該基盤から上方に延びる支持体とを有する、ミズゴケ栽培地。
【請求項１３】
前記支持体が風を通すものである、請求項１２に記載のミズゴケ栽培地。
【請求項１４】
前記支持体が棒状、板状、ネット状又は生きた植物の茎部である、請求項１２又は１３に記載のミズゴケ栽培地。
【請求項１５】
前記ミズゴケが互いに離れて植栽されている、請求項１２〜１４のいずれか一項に記載のミズゴケ栽培地。
【請求項１６】
前記ミズゴケが前記基盤１００ｃｍ２あたり１〜１０本の密度で植栽されている、請求項１２〜１５のいずれか一項に記載のミズゴケ栽培地。
【請求項１７】
前記支持体が棒状である、請求項１２〜１６のいずれか一項に記載のミズゴケ栽培地。
【請求項１８】
前記支持体が前記基盤１００ｃｍ２あたり１〜１６本の密度で設けられている、請求項１７に記載のミズゴケ栽培地。
【請求項１９】
前記支持体が、前記基盤と脱着可能である、請求項１２〜１８のいずれか一項に記載のミズゴケ栽培地。
【請求項２０】
前記ミズゴケと前記支持体とが互いに固定されていない、請求項１２〜１９のいずれか一項に記載のミズゴケ栽培地。
【請求項２１】
前記支持体の高さが、該支持体が支える前記ミズゴケの高さよりも高い、請求項１２〜２０のいずれか一項に記載のミズゴケ栽培地。
【発明の詳細な説明】
【技術分野】
【０００１】
本発明は、ミズゴケ栽培方法及びミズゴケ栽培地に関する。
【背景技術】
【０００２】
オオミズゴケ等のミズゴケは、園芸資材等として需要があり、古くは日本国内の自生地から採集されたものが使用されてきた。しかし、現在では採集や土地開発等により自生地が減少し、国内で採集可能な場所が限られ、特にオオミズゴケは環境省により準絶滅危惧種に指定されている。海外からの輸入ミズゴケが流通しているが、ミズゴケ湿原保護のためにミズゴケの採集や輸出を制限する国が増加している。ミズゴケ湿原は、貴重なウェットランドとして多くの希少な動植物の生息場所となっている。そのため、土地開発等で失われるミズゴケ湿原の別の場所への移設や、新たなミズゴケ湿原の再生が求められることがある。
【０００３】
ミズゴケは、コケ類の中でも特異な形態をしている（図１参照）。ミズゴケの茎部の所々からは、下垂する又は横に広がる枝部が出ている。茎部及び枝部には、細かい葉が多数ある。茎部の中間にある枝部の一部は、伸長して（分枝して）新たな茎部となる。ミズゴケの茎部の先端には、多数の枝部が集中して放射状に広がった形状の部分がある。ミズゴケは茎部先端だけでなく、節間においても伸長生長する。
【０００４】
一般的に、植物の栽培時に植物を支えるための器具としては、例えば、菊や胡蝶蘭等の観賞植物用の、茎に固定して用いられる支柱が知られている（特許文献１、２）。
【先行技術文献】
【特許文献】
【０００５】
【特許文献１】実開平７−１１１３２号公報
【特許文献２】特開平１０−２７６５９０号公報
【発明の概要】
【発明が解決しようとする課題】
【０００６】
ミズゴケ栽培において、当初からミズゴケの枝部同士が接するような高密度で植栽されている場合には、ミズゴケは互いにもたれあった状態となるため、茎部が倒れることなく伸長することができ、生きたミズゴケ層（ミズゴケの基盤から露出している部分、地上部）を厚くすることができる。しかしながら、高密度の状態ではミズゴケ植物体の下方にまで光が届きにくく、茎部からの分枝が少ないため、茎密度はあまり増加せず、ミズゴケ群全体としての増殖率は高くない。
【０００７】
一方、ミズゴケの地上部同士が接しない程度の低密度でミズゴケを植栽した場合、植物体全体に光が当たりやすく、より効率的に光合成を行うことができる。この場合、ミズゴケ茎部の半ばから分枝が生じて、新たに茎部が伸長し、茎密度の増加が見込まれるため、ミズゴケ群全体の増殖率は高くなる可能性がある。しかしながら、茎部先端で放射状に広がる枝部が重いため、細い茎部が先端の枝部の多い部分を支えることができず、茎部は基盤表面に倒れた状態となり、上方に伸長することができない。茎部が倒れた状態でも、横走する茎部から新たに上方に分枝が生じて茎部が伸長し、生長を続けることは可能であるものの、高さ方向への伸長は少なく、ミズゴケ層の十分な厚みは得られない。また、茎部が横走する状態では、ミズゴケ植物体同士が重なり合うなどして、多雨等の気候条件などによる水分供給条件の変化によっては地上部が過湿状態となることがある。
【０００８】
過湿状態となると、藻類や菌類がミズゴケ表面に繁殖し光合成の妨げとなることがある。また、過湿状態では、冬季に凍結が起こりやすくなるため、ミズゴケが健全に生長せずに衰退し、枯死してしまう場合がある。特にミズゴケの背丈が低い状態であると、水分条件の変動に対する抵抗性が弱く、過湿状態となった場合に生育に影響を受けやすい。そのため、ミズゴケが生長する春季から秋季にかけて、できるだけ早く十分な高さまで生育することが望ましい。
【０００９】
本発明は、ミズゴケが互いに接しないような低密度で植栽された場合でも、ミズゴケが生育中に倒れにくい栽培方法及び栽培地を提供することを目的とする。
【課題を解決するための手段】
【００１０】
本発明のミズゴケ栽培方法は、基盤と、該基盤に植栽されているミズゴケと、該ミズゴケを支えるための、該基盤から上方に延びる支持体とを有するミズゴケ栽培地を作る工程を含む。
【００１１】
上記栽培方法によれば、ミズゴケが互いに接しないような低密度で植栽された場合でも、ミズゴケが自重で倒れることを防ぐことができる。
【００１２】
上記栽培方法において、ミズゴケは互いに離れて植栽されていることが好ましく、ミズゴケが基盤１００ｃｍ２あたり１〜１０本の密度で植栽されていることが好ましい。上記ミズゴケ栽培方法は、支持体によりミズゴケを支えることができるため、ミズゴケが互いに離れて植栽されていても倒れにくい。
【００１３】
上記支持体は棒状であることが好ましい。支持体が棒状であると、取扱いが容易であり、また、日当たりや風通しを遮りにくい。
【００１４】
ミズゴケ栽培地は、支持体を基盤１００ｃｍ２あたり１〜１６本の密度で有することが好ましい。
【００１５】
支持体は基盤と脱着可能であることが好ましい。ミズゴケがある程度伸長生長して、基盤上のミズゴケ層が十分厚くなり、また、分枝が生じてミズゴケの茎密度が高まった後には、支持体がなくてもミズゴケ同士が支えあうことが可能となるため、支持体は不要となる。したがって、支持体が基盤と脱着可能であると、不要な支持体を回収でき、再度別のミズゴケ栽培地において利用することができるため好ましい。
【００１６】
上記栽培方法において、ミズゴケと支持体とが互いに固定されていないことが好ましい。ミズゴケと支持体とが固定されていないことによって、ミズゴケの節間における伸長阻害を防ぐことができ、よりミズゴケを伸長させることができる。
【００１７】
上記栽培方法において、支持体の高さが、該支持体が支えるミズゴケの高さよりも高いことが好ましい。これにより、確実にミズゴケを支えることができ、かつミズゴケの伸長に対応して長期間にわたりミズゴケを支えることができる。
【００１８】
本発明はまた、上述のミズゴケ栽培方法を用いるミズゴケ生産方法を提供する。本発明のミズゴケ生産方法によって、より伸長したミズゴケを効率よく生産することができる。
【００１９】
本発明はまた、基盤と、該基盤に植栽されているミズゴケと、該ミズゴケを支えるための、該基盤から上方に延びる支持体とを有する、ミズゴケ栽培地を提供する。本発明のミズゴケ栽培地を用いることにより、ミズゴケが互いに接しないような低密度で植栽された場合でも、ミズゴケが自重で倒れることを防ぐことができる。
【００２０】
上記ミズゴケ栽培地において、ミズゴケは互いに離れて植栽されていることが好ましい。
【００２１】
上記ミズゴケ栽培地において、ミズゴケは基盤１００ｃｍ２あたり１〜１０本の密度で植栽されていることが好ましい。
【００２２】
上記ミズゴケ栽培地において、支持体は棒状であることが好ましい。
【００２３】
上記ミズゴケ栽培地において、支持体は基盤１００ｃｍ２あたり１〜１６本の密度で設けられていることが好ましい。
【００２４】
上記ミズゴケ栽培地において、支持体は基盤と脱着可能であることが好ましい。
【００２５】
上記ミズゴケ栽培地において、ミズゴケと支持体とが互いに固定されていないことが好ましい。
【００２６】
上記ミズゴケ栽培地において、支持体の高さが、該支持体が支えるミズゴケの高さよりも高いことが好ましい。
【発明の効果】
【００２７】
本発明のミズゴケ栽培方法により、ミズゴケが互いに接しないような低密度で植栽された場合でも、生育中にミズゴケが倒れにくい。また、本発明のミズゴケ栽培地を用いることにより、ミズゴケが互いに接しないような低密度で植栽された場合でも、ミズゴケが倒れにくい。
【図面の簡単な説明】
【００２８】
【図１】本発明のミズゴケ栽培地の一実施形態を示す模式断面図である。
【図２】支持体連結体の一実施形態を示す斜視図である。
【図３】本発明のミズゴケ栽培地の一実施形態を示す模式断面図である。
【図４】本発明のミズゴケ栽培地の一実施形態を示す模式断面図である。
【発明を実施するための形態】
【００２９】
以下、図面を参照しつつ、ミズゴケ栽培地及びミズゴケ栽培方法を実施するための形態について詳細に説明する。ただし、本発明は以下の実施形態に限定されるものではない。便宜上、実質的に同一の要素には同一の符号を付し、その説明を省略する場合がある。
【００３０】
本明細書においてミズゴケとは、ミズゴケ科ミズゴケ属（SphagnaceaeSphagnum）に属するものをいう。ミズゴケとしては、ミズゴケ属に属するものであれば制限されず、例えば、オオミズゴケ（Sphagnum palustre L.）、イボミズゴケ（S. papillosumLindb.）、ムラサキミズゴケ（S. magellanicum Brid.）、キレハミズゴケ（S. aongstroemii C. Hartm）、キダチミズゴケ（S. compactumDC.）、コアナミズゴケ（S. microporum Warnst. ex Card）、コバノミズゴケ（S. calymmatophyllum Warnest. & Card.）、ユガミミズゴケ（S. subsecundum Nees ex Sturm）、ホソバミズゴケ（S. girgensohniiRussow）、チャミズゴケ（S. fuscum (Schimp.) H. Klinggr.）、ヒメミズゴケ（S. fimbriatum Wilson ex Wilson & Hook. f.）、スギハミズゴケ（S. capillifolium (Ehrh.) Hedw.）、ホソベリミズゴケ（S. junghuhnianumDozy & Molk. Subsp. Pseudomolle (Warnest.) H. Suzuki）、ワタミズゴケ（S. tenellum Hoffm.）、ハリミズゴケ（S. cuspidatumHoffm.）、アオモリミズゴケ（S. recurvum P. Beauv.）、ウロコミズゴケ（S. squarrosum Crome）等を挙げることができる。オオミズゴケを用いることが好ましい。
【００３１】
本実施形態に係るミズゴケ栽培方法は、ミズゴケ栽培地１００を作る工程を含む。図１に示すミズゴケ栽培地１００は、基盤１０と、基盤１０に植栽されているミズゴケ２０と、ミズゴケ２０を支えるための、基盤１０から上方に延びる支持体３０とを有する。ミズゴケ栽培地１００を作る方法は、基盤１０を準備する工程と、基盤１０にミズゴケ２０を植栽する工程と、基盤１０から上方に延びるように支持体３０を設置する工程と、を備えてもよい。なお、上記の各工程を実行する順序は適宜変更可能である。また、本実施形態に係るミズゴケ栽培方法は、上記のミズゴケ栽培地１００におけるミズゴケ２０が伸長した後に、支持体３０を基盤１０から除去する工程を含んでもよい。また、本実施形態のミズゴケの生産方法は、上記栽培方法を用いてミズゴケを生産するものである。
【００３２】
基盤１０は、ミズゴケ２０が植栽されるためのものである。基盤１０を構成する基盤材としては、ミズゴケの栽培に適した公知の材料を用いることができ、例えば、乾燥ミズゴケ、砂等が挙げられる。
【００３３】
ミズゴケ２０は、個々の植物体の下方の少なくとも一部が基盤１０内に埋められ、茎部先端を含む植物体上方が基盤１０の表面から上方に延びるように植栽される。植栽されるミズゴケ２０は、例えば、ミズゴケの自生地から採集されたものであってもよく、市販の生ミズゴケであってもよく、予め別途栽培されたものであってもよい。
【００３４】
ミズゴケ２０は、互いに接しないように離れて植栽されていることが好ましい。また、ミズゴケ２０が基盤１０において均等に配置されることが好ましい。ミズゴケ２０は、基盤１０において、例えば１００ｃｍ２あたり１〜１０本の密度で植栽されていてもよい。なお、ミズゴケの本数は、基盤１０の表面における茎部の数として数える。例えば、基盤１０の表面から延びる１本の茎部が基盤１０の表面よりも上方で分枝している場合には１本のミズゴケとして数え、茎部が基盤１０内にて分枝し、基盤１０の表面において２本の茎部を有する場合には、２本のミズゴケとして数える。基盤１０に植栽されるミズゴケ２０は、例えば、基盤１０の表面において、ミズゴケ２０の茎部と、隣り合うミズゴケ２０の茎部とが３ｃｍ以上離れていることが好ましく、５ｃｍ以上離れていることがより好ましい。本実施形態に係るミズゴケ栽培方法においては、支持体３０によってミズゴケ２０を支えることが可能であるため、ミズゴケ２０を高密度で植栽する必要がない。ミズゴケ２０の植栽密度が低いことによって、例えばミズゴケ湿原の再生のために単位面積あたりに必要なミズゴケの植栽本数を減らすことができ、より少ないミズゴケ材料を用いて、より広い面積に植栽することができる。また、ミズゴケ２０の植栽密度が低いことによって、ミズゴケ２０の植物体全体に光が当たりやすくなるため好ましい。ミズゴケ２０は、一部が互いに接していてもよい。
【００３５】
基盤１０には、基盤１０の上方に延びる支持体３０が設けられている。支持体３０は近傍のミズゴケ２０を支えることができる。ここで、「支持体３０がミズゴケ２０を支える」とは、ミズゴケ２０が自重で倒れようとする力への反力を支持体３０が一部負担することを言う。支持体３０は、ミズゴケ２０が生育中に寄りかかることができるものであり、ミズゴケ２０を支えてミズゴケが倒れることを防ぐものである。すなわち、ミズゴケ２０が自立できない場合であっても、当該ミズゴケ２０が支持体３０に寄りかかることにより基盤１０の表面に倒れ伏さずに起立することができる。
【００３６】
図１に示すミズゴケ栽培地１００における棒状の支持体３０は、一部が基盤１０中に挿入され、ミズゴケ２０を支えるのに十分な長さが基盤１０表面上から延びるように設けられている。棒状の支持体３０は、ミズゴケ２０の茎部先端の放射状に広がる枝部をひっかけるようにして支えることができる。
【００３７】
支持体３０は、ミズゴケ２０を栽培する過程でミズゴケ２０の茎部が伸長するに従い自重を支えられなくなった時点でミズゴケ２０を支えていればよく、必ずしもミズゴケ栽培地１００を作製する時点でミズゴケ２０を直接支えていなくてもよい。
【００３８】
ミズゴケ２０は、栽培中に分枝して茎部の数が次第に増加するため、ミズゴケ２０の茎部密度は栽培当初から次第に増加する。そのため、あるミズゴケ２０植物体にとって、栽培地を作製した時点では隣り合う支持体３０又は隣り合う別のミズゴケ２０が存在しない場合にも、当該植物体及び周辺の植物体の伸長生長に伴い、支持体３０又は別のミズゴケ２０と接するようになって支えられることが期待できる。ミズゴケ２０が支持体３０によって支えられる際には、ミズゴケ２０は、支持体３０によって直接支えられていてもよく、支持体３０によって支えられている別のミズゴケ２０植物体によって間接的に支えられていてもよい。
【００３９】
支持体３０の形状は、例えば板状、ネット状等であってもよい。支持体３０は、ミズゴケ２０の茎部の縦方向の伸長を阻害せず、日当たり及び風通しを良好にする観点から、棒状であることが望ましい。支持体３０が棒状である場合、その断面形状は円、矩形等のいずれであってもよく、直径又は幅は例えば１ｍｍ〜１０ｍｍであってよく、１ｍｍ〜５ｍｍであることが好ましい。支持体３０は、基盤１０の表面に対して略垂直に設けられていることが好ましい。
【００４０】
支持体３０は、例えば基盤１０の１００ｃｍ２あたり１〜１６本の密度で設けられていてよく、１００ｃｍ２あたり４〜１６本、又は１００ｃｍ２あたり４〜９本の密度で設けられていてもよい。また、支持体３０が基盤１０において均等に配置されることが好ましい。支持体３０は、植栽されるミズゴケ２０の少なくとも一部が支えられればよく、例えば植栽される全てのミズゴケ２０の内、少なくとも２分の１以上が支持体３０によって直接支えられるように支持体３０及びミズゴケ２０が配置されてもよい。支持体３０は、植栽される全てのミズゴケが支持体３０によって支えられるよう、ミズゴケ植物体１本あたり１つの支持体３０が設けられていてもよい。１つの支持体３０が、複数のミズゴケ２０の植物体を支えるように支持体３０及びミズゴケ２０が配置されていてもよい。
【００４１】
ミズゴケ栽培地１００において、支持体３０の、基盤１０表面からの高さは、図１に例示されるように、ミズゴケ２０の高さ（基盤１０表面からの高さ。以下同じ。）より高いことが好ましい。支持体３０の、基盤１０表面からの高さは、ミズゴケの種類及び伸長の程度に応じて適宜変更され得るが、例えば５〜３０ｃｍであってよく、１０〜２０ｃｍであってよい。生育中にミズゴケ２０の高さが支持体３０の基盤１０表面からの高さを超えた場合には、基盤１０に挿入されている支持体３０を上方に適宜引き上げて、引き続きミズゴケ２０が支持体３０によって支えられるようにしてもよい。
【００４２】
支持体３０の材質は特に制限がなく、例えば、金属、プラスチック、木材、竹材等が用いられる。支持体３０の材質は、木材、竹材等の生物分解可能な材質であることが好ましい。これらの材質を用いることにより、例えば支持体３０がミズゴケ栽培地１００に長期間置かれ、ミズゴケ群が十分に伸長した後に回収されない場合に、支持体３０が生物分解されるため好ましい。
【００４３】
支持体３０は、ミズゴケ２０が側方から寄りかる力を支持可能な強度で基盤１０に固定されればよい。例えば図１に示すミズゴケ栽培地１００における支持体３０は、基盤１０に挿入され、基盤１０を貫通して更に基底部４０に到達し、一部が基底部４０に挿入されている。支持体３０が基底部４０に挿入されていることにより、更に支持体３０を安定させ、ミズゴケ２０をより安定的に支えることができる。支持体３０は、例えば自立可能な脚部を有する場合には、基盤１０に挿入せずに、基盤１０上に置かれていてもよい。支持体３０を基盤１０により確実に固定し、かつミズゴケ２０の生育をできるだけ阻害しないために、支持体３０は一部が基盤１０に挿入されていることが好ましい。
【００４４】
支持体３０は、基盤１０と脱着可能であることが好ましい。ミズゴケ群がある程度生長して、基盤上のミズゴケ層が十分厚くなり、また、分枝が生じてミズゴケの茎密度が高まった後には、支持体がなくても、ミズゴケ同士が互いに支え合うことが可能となるため、支持体は不要となる。したがって、支持体が回収可能であり、再度別のミズゴケ栽培地に該支持体を使用できることが好ましい。
【００４５】
本発明のミズゴケ栽培方法では、支持体３０によってミズゴケ２０を支え、ミズゴケ２０が倒れることを防ぐことができるため、支持体３０とミズゴケ２０とを固定する必要がない。なお、「支持体３０とミズゴケ２０とを固定する」とは、支持体３０とミズゴケ２０の例えば茎部とを別途の固定部材を用いて結びつけるなどして、実質的に支持体３０とミズゴケ２０との固定箇所が動かないようにすることをいう。支持体３０とミズゴケ２０とは、針金やテープ等により互いに固定されていてもよい。ミズゴケ２０は、茎部先端だけでなく茎部の節間においても伸長生長するため、固定する箇所以下の茎部の伸長生長を阻害しないよう、支持体３０は、ミズゴケ２０と固定されていないことが好ましい。
【００４６】
支持体３０は、予めミズゴケ２０が植栽された基盤１０の任意の位置に後から設けられてもよく、あるいは、ミズゴケ２０が基盤１０に植栽される前に予め支持体３０が基盤１０に設けられていてもよい。
【００４７】
図１に示すミズゴケ栽培地１００において、基盤１０は、基底部４０の上に設けられている。基底部４０は、例えば、土、砂、発泡スチロール等からなっていてよい。ミズゴケ栽培地１００は、湿原等の土壌上に直接設けられていてもよく、プランターなどの移動可能な容器内に設けられていてもよい。
【００４８】
支持体３０は、それぞれ独立したものであってもよく、複数の支持体３０が、各支持体３０の一部（例えば、支持体３０の上端又は下端）で連結されて支持体連結体をなしていてもよい。例えば、図２に示されるような支持体連結体３２を採用してもよい。支持体連結体３２は、上から見て二次元的に配列された複数の支持体３０と、これら複数の支持体３０の下端同士を縦横に格子状に連結する複数の水平連結部３３と、を有している。支持体連結体では、複数の支持体３０が上から見て一次元的に一列に並ぶように連結されていてもよい。支持体連結体３２は、例えば、基底部がコンクリートや木材等の硬い素材である場合など、基底部に支持体を差し込んで固定することが困難な場合に有効である。また、支持体３０同士が連結されていることにより、支持体３０の設置及び除去をより簡便に行うことができる。支持体連結体３２は、基盤１０上に置かれてもよい。図３に示すミズゴケ栽培地１１０では、基底部４１上に配置した支持体連結体３２の連結部の上に、基盤１０が形成されている。
【００４９】
また、前述の支持体連結体３２の天地を逆転させて、支持体３０の上端同士が連結された状態で使用してもよい。支持体３０の上端が連結されている場合には、ミズゴケ２０上に大きな陰を作らないよう連結部が線状又は格子状であることが好ましい。上端が連結された支持体を用いることにより、ミズゴケ２０が伸長した際に、必要に応じて支持体連結体３２を上方に引き上げることが容易であり、さらなるミズゴケ２０の伸長に対応することができる。
【００５０】
支持体は、生きた植物の茎部等であってもよい。図４に示すミズゴケ栽培地１２０においては、基盤１０又は基底部４０に植栽された生きた植物の茎部が、支持体３１として機能している。支持体３１として用いられる植物の茎部は、十分に細くて日陰をつくりにくく、ある程度強度を有することが好ましい。茎部（花茎部）を支持体３１として好ましく用いることができる植物としては、例えば、イグサ科のイ（イグサ、Juncus effusus）、クサイ（Juncus tenuis）、ドロイ（Juncus gracillimus）、カヤツリグサ科のシカクイ（Eleocharis wichurae）、サンカクイ（Scirpus triqueter）、カンガレイ（Scirpus triangulatus）等が挙げられる。生きた植物の茎部を支持体３１として用いる場合は、例えば、該植物が植栽されている基底部４０の上に、該植物の茎部の隙間を埋めるように基盤１０を設け、該基盤１０にミズゴケ２０を植栽してもよい。また、植物の根茎等を基底部４０に植栽しておき、植物の茎部が伸長する前に基盤１０を該植物の上に配置し、該基盤１０にミズゴケ２０を予め植栽しておくことにより、やがて該植物の茎部が伸長生長して基盤１０表面まで突き抜けた後に、支持体３１として機能するようにしてもよい。
【００５１】
本実施形態に係るミズゴケ栽培方法では、上述のミズゴケ栽培地を完成させた後、適宜水、養分等をミズゴケに与えることにより、ミズゴケを伸長生長させることができる。また、ミズゴケの栽培途中で必要に応じて支持体の位置を変更してもよい。屋外にミズゴケ栽培地を設ける場合には、降雨等により適宜水分が供給されることにより、特に手入れをする必要なくミズゴケを栽培することも可能である。
【００５２】
本実施形態に係るミズゴケ栽培方法により、ミズゴケの茎部が伸長した場合にも、ミズゴケ植物体の自重により茎部等が倒伏してミズゴケ植物体が過湿状態となることを防ぐことができる。また、支持体により支えられて伸長するミズゴケの茎部は、自重を支えながら伸長するミズゴケの茎部と比較すると節間の伸長量が大きく、結果として上方への伸長量が大きくなる。節間がより伸長したミズゴケは、茎部や葉部の間の空隙の割合が多くなり、より過湿状態となりにくい。したがって、本実施形態に係るミズゴケ栽培方法により、より早期に、空隙割合の高い、生きたミズゴケの厚い層を作ることができる。このような状況でミズゴケが伸長生長することにより、例えば水の供給量が増加した場合でも、最も活発に成長するミズゴケの茎部先端が過湿になりにくく、健全に生長を続けることができ、より環境変化に強いミズゴケ群が得られる。また、水分供給のコントロールを行わなくても、ミズゴケ栽培地が水分条件の変化に対応し得るため、水管理が容易である。
【００５３】
また、ミズゴケ湿原の再生において、本実施形態に係るミズゴケ栽培方法により、十分な厚さを持った、環境変化、特に水分環境変化に強いミズゴケ群をより早期に作ることができる。再生したミズゴケ湿原は、更に別の動植物の生息地となるため、生物多様性の保全の観点からも好ましい。
【００５４】
また、園芸資材としてのミズゴケは、乾燥品だけでなく生きたミズゴケが有効とされる場合もある。本実施形態に係るミズゴケ栽培方法によって、より伸長したミズゴケを早く効率的に生産することができる。上記ミズゴケ栽培方法を用いて得られるミズゴケは、園芸用途に用いられることができる。
【符号の説明】
【００５５】
１０…基盤、２０…ミズゴケ、３０，３１…支持体、３２…支持体連結体、３３…水平連結部、４０，４１…基底部、１００，１１０，１２０…ミズゴケ栽培地。
【図１】
0006660809.tif 000002
【図２】
0006660809.tif 000003
【図３】
0006660809.tif 000004
【図４】
0006660809.tif 000005